(57)【要約】【課題】サウナストーンを加熱するヒータの破損、劣化を抑制するロウリュサウナ用加熱蒸散装置を提供する。【解決手段】ロウリュサウナ用加熱蒸散装置１は、網状の底部２を有しサウナストーンを収容する有底円筒状の収容部３と、収容部３の外周面に巻かれるバンドヒータ５と、バンドヒータ５の上側で外径側に張り出す鍔部６とを備える。  これにより、収容部３内のサウナストーンに液体を投入する際にもバンドヒータ５は外周側に配されているためバンドヒータ５が被水する虞が少なくなる。  また、バンドヒータ５の上側で外径側に張り出す鍔部６を有するため、例え収容部３の外側に液体が飛散したとしても鍔部６によってバンドヒータ５への液体の到達を防ぐことができる。【選択図】図２
0003234009.tif 000002
【実用新案登録請求の範囲】
【請求項１】
網状の底部（２）を有し鉱石を収容する有底円筒状の収容部（３）と、
この収容部の外周面に巻かれるバンドヒータ（５）と、
このバンドヒータの上側で外径側に張り出す鍔部（６）とを備えるロウリュサウナ用加熱蒸散装置（１）。
【請求項２】
請求項１に記載のロウリュサウナ用加熱蒸散装置において、
前記収容部は前記底部と地面との間に空隙を形成する脚部（１０）を具備することを特徴とするロウリュサウナ用加熱蒸散装置。
【請求項３】
請求項１または請求項２に記載のロウリュサウナ用加熱蒸散装置において、
前記バンドヒータは自身の温度を測定する測温センサ（８）を有していることを特徴とするロウリュサウナ用加熱蒸散装置。
【請求項４】
請求項１〜３のいずれか１つに記載のロウリュサウナ用加熱蒸散装置において、
前記鍔部は前記収容部から着脱自在に形成されていることを特徴とするロウリュサウナ用加熱蒸散装置。
【考案の詳細な説明】
【技術分野】
【０００１】
本考案は、収容部に収容される加熱された鉱石に液体を投入することで蒸気を発生させるロウリュサウナ用加熱蒸散装置に係る。
【背景技術】
【０００２】
従来、加熱されたサウナストーン（坑火石）等の鉱石に液体を投入することで蒸気を発生させるロウリュサウナ用加熱蒸散装置としては、図３に示すようなシーズヒータを用いるものが一般的であった。
しかし、このようなロウリュサウナ用加熱蒸散装置では収容部も浅く液体が滴り落ち易くなっており、鉱石に液体を投入した際にシーズヒータまで液体が到達してしまいシーズヒータの破損、劣化を招く虞があった（例えば、特許文献１参照。）。
【０００３】
なお、収容部下側に形成される開口部を塞ぐことで、シーズヒータの被水を抑制することもできるが、開口部を介しての下側から上側に流れる空気の対流も抑制されてしまい、サウナ室全体の温度の上昇が阻害される問題が生じてしまう。
【先行技術文献】
【特許文献】
【０００４】
【特許文献１】特開２０１０−５７８５１号公報
【考案の概要】
【考案が解決しようとする課題】
【０００５】
本考案は、上記の問題点を解決するためになされたものであり、鉱石を加熱するヒータの破損、劣化を抑制するロウリュサウナ用加熱蒸散装置を提供することにある。
【課題を解決するための手段】
【０００６】
本考案によれば、ロウリュサウナ用加熱蒸散装置は、網状の底部を有し鉱石を収容する有底円筒状の収容部と、収容部の外周面に巻かれるバンドヒータと、バンドヒータの上側で外径側に張り出す鍔部とを備える。
【０００７】
これにより、収容部内の鉱石に液体を投入する際にもバンドヒータは外周側に配されているためバンドヒータが被水する虞が少なくなる。
また、バンドヒータの上側で外径側に張り出す鍔部を有するため、例え収容部の外側に液体が飛散したとしても鍔部によってバンドヒータへの液体の到達を防ぐことができる。
【０００８】
このため、鉱石を加熱するバンドヒータの破損、劣化を抑制することができる。
なお、底部は網状であるため、余分な液体を容易に外部に排出することができる。また、網状の底部から流入した空気は鉱石の間隙を縫って上側に抜けるため、ロウリュサウナ用加熱蒸散装置の下側から上側に流れる空気の対流も確保でき、サウナ室全体の温度上昇を阻害することもない。
【図面の簡単な説明】
【０００９】
【図１】ロウリュサウナ用加熱蒸散装置の斜視図である（実施例）。
【図２】ロウリュサウナ用加熱蒸散装置の軸方向に沿った断面図である（実施例）。
【図３】ロウリュサウナ用加熱蒸散装置の則面図である（従来例）。
【考案を実施するための形態】
【００１０】
以下、考案を実施するための形態を実施例に基づいて説明する。
【実施例】
【００１１】
［実施例］
本考案の実施例によるロウリュサウナ用加熱蒸散装置１を図１、２に示す。
なお、以下の実施例は具体的な一例を開示するものであり、本考案が以下の実施例に限定されないことは言うまでもない。
【００１２】
ロウリュサウナ用加熱蒸散装置１は、網状の底部２を有しサウナストーンを収容する有底円筒状の収容部３と、収容部３の外周面に巻かれるバンドヒータ５と、バンドヒータ５の上側で外径側に張り出す鍔部６とを備える。
【００１３】
ここで、収容部３および鍔部６はともにステンレス製となっている。
また、バンドヒータ５は側壁部にセラミックヒータの埋め込まれた円筒状ヒータであり、側壁部に自身の温度を測定する測温センサ８を有している。
また、収容部３は、底部２と地面との間に空隙を形成する脚部１０を具備している。
さらに、鍔部６は収容部３から着脱自在に形成されている。
【００１４】
［実施例の効果］
ロウリュサウナ用加熱蒸散装置１は、網状の底部２を有しサウナストーンを収容する有底円筒状の収容部３と、収容部３の外周面に巻かれるバンドヒータ５と、バンドヒータ５の上側で外径側に張り出す鍔部６とを備える。
これにより、収容部３内のサウナストーンに液体を投入する際にもバンドヒータ５は外周側に配されているためバンドヒータ５が被水する虞が少なくなる。
また、バンドヒータ５の上側で外径側に張り出す鍔部６を有するため、例え収容部３の外側に液体が飛散したとしても鍔部６によってバンドヒータ５への液体の到達を防ぐことができる。
【００１５】
このため、サウナストーンを加熱するバンドヒータ５の破損、劣化を抑制することができる。
なお、底部２は網状であるため、余分な液体を容易に外部に排出することができる。また、網状の底部２から流入した空気はサウナストーンの間隙を縫って上側に抜けるため、ロウリュサウナ用加熱蒸散装置１の下側から上側に流れる空気の対流も確保でき、サウナ室全体の温度上昇を阻害することもない。
【００１６】
また、収容部３は、底部２と地面との間に空隙を形成する脚部１０を具備している。
これにより、底部２と地面との間に空間が形成されているため、より底部２へと空気が流入しやすくなっており、空気の対流をより促進できる。
【００１７】
また、バンドヒータ５は側壁部に自身の温度を測定する測温センサ８を有している。
これにより、測温センサ８の温度表示とサウナ室の温度との関係を予め計測しておくことで所望のサウナ室の温度となるようにバンドヒータ５の出力を調整することができる。
【００１８】
さらに、測温センサ８の出力温度データを利用して、警報装置と協働させることで警報を報知したり、電力供給手段と協働させることで電力供給を停止させたりすることもでき、ロウリュサウナ用加熱蒸散装置１の安全性を高めることもできる。
【００１９】
また、鍔部６は収容部３から着脱自在に形成されている。
これにより、鍔部６が破損した場合であっても鍔部６のみの交換で済むため経済的である。
【００２０】
［変形例］
本考案は、その要旨を逸脱しない範囲で様々な変形例を考えることができる。
実施例においては、バンドヒータ５は、測温センサ８を備えていたが、測温センサ８を有していなくてもよい。この場合、温度ヒューズ等を適切な位置に配することでロウリュサウナ用加熱蒸散装置１の安全性を確保することができる。
【００２１】
また、実施例においては、鍔部６は収容部３から着脱自在に形成されていたが、鍔部６と収容部３とを一体的に形成してもよい。この場合、鍔部６と収容部３との接合強度を高めることができ、ロウリュサウナ用加熱蒸散装置１を傾けた場所に設置した場合であっても鍔部６が収容部３から脱落することを防ぐことができる。
【００２２】
また、実施例においては、収容部３に収容されている鉱石はサウナストーンであったが、この態様に拘るものではなくて、他の鉱石、例えば、溶岩や人工のケルケスストーン等を収容するものであってもよい。
【００２３】
１  ロウリュサウナ用加熱蒸散装置  ２  底部  ３  収容部  ５  バンドヒータ
６  鍔部
【図１】
0003234009.tif 000003
【図２】
0003234009.tif 000004
【図３】
0003234009.tif 000005